(57)【要約】【課題】浴室の洗い場床パネルを、強度を確保しつつ安価に製造可能とし、更に壁パネルや扉枠と間のシール性を確保する。【解決手段】洗い場床パネル３の発泡樹脂からなるパネル本体１１の上下に補強パネル部材１２，１３を被せ、パネル本体１１の外端部に沿って受け部材２０を設ける。受け部材２０の受入溝２１ａに壁パネル４の被受入部４ｂを挿し込む。受入溝２１ａに臨むシール材３１によって、受け部材２０と被受入部４ｂとの間をシールする。【選択図】図５
2019052519.tif 000002
【特許請求の範囲】
【請求項１】
浴室の洗い場の底部に設置される洗い場床パネルであって、
発泡樹脂からなるパネル本体と、
前記パネル本体の上面の外端部を除く部分に被さる上側補強パネル部材と、
前記パネル本体の下面に被さる下側補強パネル部材と、
前記パネル本体の前記外端部に沿って設置され、浴室の壁パネル又は扉枠を載せる受け部材と、
を備え、前記受け部材が、前記壁パネル又は扉枠の下部の被受入部を受け入れる受入溝を有し、前記受入溝にシール材が臨むように設けられることを特徴とする浴室の洗い場床パネル。
【請求項２】
前記受け部材が、前記受入溝を有する硬質樹脂からなる受け部材本体と、前記受入溝に臨むように設けられた軟質樹脂からなるシール材を一体に含む２色成形体であることを特徴とする請求項１に記載の洗い場床パネル。
【請求項３】
前記シール材が、前記受入溝の洗い場側の部分に設けられヒレ状のシール突片を含むことを特徴とする請求項２に記載の洗い場床パネル。
【請求項４】
前記シール突片が、前記受入溝の洗い場側の溝縁部から受入溝側へ延び出る第１シール突片部と、前記第１シール突片部の根元部から上方へ分岐する第２シール突片部とを含むことを特徴とする請求項３に記載の洗い場床パネル。
【請求項５】
前記受入溝の洗い場側とは反対側の内壁が前記被受入部と当接し、かつ前記受入溝の洗い場側の内壁と前記被受入部との間に前記シール材が挟まれることを特徴とする請求項１〜４の何れか１項に記載の洗い場床パネル。
【請求項６】
前記受入溝の溝底面に溝底凹部が形成され、前記溝底凹部に溝底シール材が充填されることを特徴とする請求項１〜５の何れか１項に記載の洗い場床パネル。
【請求項７】
前記受け部材が、前記受入溝の形成部分よりも洗い場側へ張り出す張出片部を有し、前記張出片部の上面には張出凹部が形成され、
更に、前記洗い場床パネルの上面の表層シートが前記張出片部に被さっており、
前記張出凹部には、前記張出片部と前記表層シートとの間をシールする張出片シール材が充填されていることを特徴とする請求項１〜６の何れか１項に記載の洗い場床パネル。
【請求項８】
前記洗い場床パネルの上面の表層シートの端部と前記被受入部との間に設けられる目地部材を更に備え、
前記目地部材には、係合部が設けられ、
前記受け部材には、前記係合部と係合される係合受け部が設けられていることを特徴とする請求項１〜７の何れか１項に記載の洗い場床パネル。
【請求項９】
前記受け部材には、前記洗い場床パネルの上面の表層シートの端面と対向する凸壁部が上へ突出するように設けられ、前記表層シートの端面と前記凸壁部との間に目地材が充填されていることを特徴とする請求項１〜８の何れか１項に記載の洗い場床パネル。
【請求項１０】
前記洗い場床パネルの上面の表層シートの端部と前記被受入部との間には、目地材が充填されることを特徴とする請求項１〜９に記載の洗い場床パネル。
【請求項１１】
前記下側補強パネル部材又は上側補強パネル部材には、前記パネル本体の外端面に被さ 
る側板部が一体に設けられており、
前記被受入部が、連結固定部材を介して前記側板部に固定されていることを特徴とする請求項１〜１０の何れか１項に記載の洗い場床パネル。
【発明の詳細な説明】
【技術分野】
【０００１】
本発明は、浴室の洗い場床パネルに関し、特に発泡樹脂製のパネル本体を有する洗い場床パネルに関する。
【背景技術】
【０００２】
浴室の洗い場床パネルのパネル本体を発泡樹脂製としたものは公知である（例えば、特許文献１、２参照）。
特許文献１における浴室洗い場床パネルは、フレーム上に発泡樹脂製のパネル本体が載せられ、その上に表面材が被せられている。パネル本体の外端部には、壁パネルの下端部を支持する受け部材が設けられている。
特許文献２における浴室洗い場床パネルは、フレーム上に載置した受板上に発泡樹脂製のパネル本体（床面材）が載せられ、その上にクッション材が被せられ、更にその上に表面材が被せられている。
【先行技術文献】
【特許文献】
【０００３】
【特許文献１】特開２０１４−１３２１４１号公報
【特許文献２】特開２０１３−２０９８５３号公報
【発明の概要】
【発明が解決しようとする課題】
【０００４】
前掲特許文献の洗い場床パネルは、パネル本体を発泡樹脂製とすることによって安価にできる。しかし、パネル本体の下部のフレームだけで強度を確保しているために、フレームを大きくしたり複雑な構造にしたりする必要がある。また、発泡樹脂製のパネル本体は、温度変化によって膨張、収縮されやすい。さらに、洗い場床パネルの外端部に接続される壁パネルや扉枠との間のシール性を確保する必要もある。
本発明は、かかる事情に鑑み、強度を確保しつつ安価に製造でき、かつ膨張、収縮を抑制でき、更に壁パネルや扉枠と間のシール性を確保できる浴室洗い場床パネルを提供することを目的とする。
【課題を解決するための手段】
【０００５】
前記課題を解決するために、本発明は、浴室の洗い場の底部に設置される洗い場床パネルであって、
発泡樹脂からなるパネル本体と、
前記パネル本体の上面の外端部を除く部分に被さる上側補強パネル部材と、
前記パネル本体の下面に被さる下側補強パネル部材と、
前記パネル本体の前記外端部に沿って設置され、浴室の壁パネル又は扉枠を載せる受け部材と、
を備え、前記受け部材が、前記壁パネル又は扉枠の下部の被受入部を受け入れる受入溝を有し、前記受入溝にシール材が臨むように設けられることを特徴とする。
【０００６】
発泡樹脂製のパネル本体を上側補強パネル部材と下側補強パネル部材で挟んでサンドイッチ構造とすることによって、安価に製造できるだけでなく、パネル本体を上下の補強パネル部材によって補強して、洗い場床パネルの強度を確保できる。更には、上下の補強パネル部材によって発泡樹脂製パネル本体を拘束することで、温度変化に伴う発泡樹脂製パネル本体の膨張、収縮を抑制できる。更に、受入溝に臨むようにシール材を配置することで、壁パネル又は扉枠と受け部材との間のシール性を確保できる。 
パネル本体と上下の各補強パネル部材とは、接着等によって固定されていることが好ましい。
上下の各補強パネル部材は、鋼板等の金属板や硬質樹脂によって構成されていることが好ましい。
前記受入溝に臨むシール材は、受入溝の内面に設けられていてよく、受入溝の溝縁部や外部から受入溝の側へ張り出していてもよい。
【０００７】
前記受け部材が、前記受入溝を有する硬質樹脂からなる受け部材本体と、前記受入溝に臨むように設けられた軟質樹脂からなるシール材を一体に含む２色成形体であることが好ましい。
シール材を受け部材と一体成形することによって、浴室の施工現場では該シール材を設置する作業が不要であり、施工を簡易化できる。したがって、作業者によって施工品質にばらつきができるのを防止できる。
【０００８】
前記シール材が、前記受入溝の洗い場側の部分に設けられヒレ状のシール突片を含むことが好ましい。
前記シール突片は受入溝に臨む。受入溝に壁パネル又は扉枠の被受入部を入れると、シール突片が壁パネル又は扉枠に当たることで、壁パネル又は扉枠と受け部材との間をシールできる。
【０００９】
前記シール突片が、前記受入溝の洗い場側の角部から受入溝側へ延び出る第１シール突片部と、前記第１シール突片部の根元部から上方へ分岐する第２シール突片部とを含むことが好ましい。
前記第１シール突片部は、被受入部と前記受入溝の洗い場側の内壁との間に挟み込まれる。第２シール突片部は、被受入部の洗い場側側面に宛がわれる。これによって、壁パネル又は扉枠と受け部材との間を一層確実にシールできる。
【００１０】
前記受入溝の洗い場側とは反対側の内壁が前記被受入部と当接し、かつ前記受入溝の洗い場側の内壁と前記被受入部との間に前記シール材が挟まれることが好ましい。
これによって、壁パネル又は扉枠を、受入溝の溝幅方向に位置規制できるとともに、壁パネル又は扉枠と受け部材との間を確実にシールできる。
【００１１】
前記受入溝の溝底面に溝底凹部が形成され、前記溝底凹部に溝底シール材が充填されることが好ましい。
前記溝底シール材は、受入溝に臨む。該溝底シール材が壁パネル又は扉枠の被受入部に密着されることによって、壁パネル又は扉枠と受け部材との間をシールできる。
溝底凹部の幅は、受入溝の幅より小さい。
溝底シール材の充填用の溝底凹部を設けることで、浴室施工現場における溝底シール材の充填量のばらつきを防止でき、施工品質を確保できる。
【００１２】
前記受け部材が、前記受入溝の形成部分よりも洗い場側へ張り出す張出片部を有し、前記張出片部の上面には張出凹部が形成され、
更に、前記洗い場床パネルの上面の表層シートが前記張出片部に被さっており、
前記張出凹部には、前記張出片部と前記表層シートとの間をシールする張出片シール材が充填されていることが好ましい。
受け部材に張出片部を設けることによって、受け部材をパネル本体に安定的に設置できる。
張出片シール材の充填用の張出凹部を設けることで、張出片シール材の充填量のばらつきを防止できる。
張出片シール材が表層シートと密着されることによって、受け部材の張出片部と表層シートとの間のシール性を確保できる。
【００１３】
前記洗い場床パネルの上面の表層シートの端部と前記被受入部との間に設けられる目地部材を更に備え、
前記目地部材には、係合部が設けられ、
前記受け部材には、前記係合部と係合される係合受け部が設けられていることが好ましい（図８（ａ）参照）。
表層シートの端部と壁パネル又は扉枠との間の隙間を目地部材によって覆い隠すことができる。係合部と係合受け部との係合によって、目地部材を正確に位置決めして固定でき、作業者によって施工品質にばらつきができるのを防止できる。
【００１４】
前記受け部材には、前記洗い場床パネルの上面の表層シートの端面と対向する凸壁部が上へ突出するように設けられ、前記表層シートの端面と前記凸壁部との間に目地材が充填されていることが好ましい（図１２参照。）
前記目地材によって、表層シートの端面と前記凸壁部ひいては受け部材との間を液密に封止できる。前記目地材は外部に露出されるため、封止状態を容易に点検できる。
前記目地材を前記目地部材で更に覆うことにしてもよい（図１３参照）。
【００１５】
前記洗い場床パネルの上面の表層シートの端部と前記被受入部との間には、目地材が充填されていてもよい（図１０参照）。
表層シートの端部と壁パネル又は扉枠との間の隙間を目地材によって液密に封止できる。また、目地材の充填状態ひいては封止状態を容易に点検できる。
【００１６】
前記下側補強パネル部材又は上側補強パネル部材には、前記パネル本体の外端面に被さる側板部が一体に設けられており、
前記被受入部が、連結固定部材を介して前記側板部に固定されていることが好ましい。
これによって、浴室の壁又は扉枠と洗い場床パネルとをしっかりと固定できる。また、浴室の壁又は扉の荷重を、連結固定部材を介して側板部に伝達させることができる。
【発明の効果】
【００１７】
本発明によれば、浴室の洗い場床パネルを、強度を確保しつつ安価に製造でき、かつ膨張、収縮を抑制でき、更に壁パネルや扉枠と間のシール性を確保できる。
【図面の簡単な説明】
【００１８】
【図１】図１は、本発明の第１実施形態に係る浴室の側面断面図である。
【図２】図２は、前記浴室の洗い場床パネルを、表層シートを省略して示す平面図である。
【図３】図３は、前記洗い場床パネルの分解斜視図である。
【図４】図４は、図２のＩＶ−ＩＶ線に沿う、前記洗い場床パネルの断面図である。
【図５】図５は、前記洗い場床パネルと浴室壁との接続構造を図２のＶ−Ｖ線に沿って示す断面図である。
【図６（ａ）】図６（ａ）は、前記洗い場床パネルの受け部材の断面図である。
【図６（ｂ）】図６（ｂ）は、前記受け部材をパネル本体に装着した状態の洗い場床パネルの断面図である。
【図７（ａ）】図７（ａ）は、前記洗い場床パネルの受け部材に壁パネルの被受入部を嵌め込む初期段階を示す断面図である。
【図７（ｂ）】図７（ｂ）は、前記洗い場床パネルの受け部材に壁パネルの被受入部を嵌め込む後期段階を示す断面図である。
【図８（ａ）】図８（ａ）は、壁パネルの設置後、目地部材の設置工程を示す断面図である。
【図８（ｂ）】図８（ｂ）は、前記目地部材を設置した状態の断面図である。
【図９】図９は、前記洗い場床パネルと浴室扉との接続構造を示す断面図である。
【図１０】図１０は、本発明の第２実施形態に係る洗い場床パネルと浴室壁との接続構造を示す断面図である。
【図１１】図１１は、前記第２実施形態に係る洗い場床パネルと浴室扉との接続構造を示す断面図である。
【図１２】図１２は、本発明の第３実施形態を示し、洗い場床パネルにおける受け部材の配置部分の断面図である。
【図１３】図１３は、前記第３実施形態において、受け部材に壁パネルの被受入部を嵌めた状態の断面図である。
【図１４】図１４は、前記第３実施形態において、受け部材に浴室扉の被受入部を嵌めた状態の断面図である。
【発明を実施するための形態】
【００１９】
以下、本発明の実施形態を図面にしたがって説明する。
＜第１実施形態＞
図１に示すように、浴室１は、浴槽１ａと、洗い場１ｂを備えている。洗い場１ｂの底部に、洗い場床パネル３が設けられている。浴槽１ａの下側には、浴槽１ａの排水口からなどの漏水を受ける浴槽パンが設けられている。
図２に示すように、洗い場床パネル３は、平面視で長方形状（四角形状）になっている。
【００２０】
図３及び図４に示すように、洗い場床パネル３は、パネル本体１１と、下側補強パネル部材１３と、上側補強パネル部材１２と、表層シート１４と、排水口部材１６と、受け部材２０を備えている。
【００２１】
パネル本体１１は、ＥＰＳ（発泡ポリスチレン）等の発泡樹脂によって構成され、断熱性を有している。
なお、パネル本体１１の材質は、ＥＰＳに限られず、発泡ポリエチレン、発泡ポリプロピレン等であってもよい。
【００２２】
パネル本体１１の底部に下側補強パネル部材１３が敷設されている。下側補強パネル部材１３は、ステンレス、鉄、鋼等の金属板にて構成されている。下側補強パネル部材１３が、熱硬化性樹脂などの硬質樹脂にて構成されていてもよい。
下側補強パネル部材１３の４つの端部には、それぞれ側板部１３ｂが一体に設けられている。これら側板部１３ｂが、下側補強パネル部材１３から直角に立ち上がり、パネル本体１１の４つの外端面にそれぞれ被さっている。
【００２３】
パネル本体１１と下側補強パネル部材１３とは、接着剤（図示省略）によって接着されている。接着剤としては、例えば熱硬化性の２液混合ウレタン系接着剤が用いられているが、これに限られず、エポキシ系接着剤、シリコーン系接着剤などであってもよい。接着剤は、パネル本体１１と下側補強パネル部材１３との間の全面に塗布することが好ましいが、所要の接合性を得られるのであれば部分的に塗布してもよい。
【００２４】
パネル本体１１の上面に上側補強パネル部材１２が被さっている。上側補強パネル部材１２は、ステンレス、鉄、鋼等の金属板によって構成されている。上側補強パネル部材１２が、熱硬化性樹脂などの硬質樹脂にて構成されていてもよい。上側補強パネル部材１２が、下側補強パネル部材１３とは異なる材質であってもよい。
パネル本体１１と上側補強パネル部材１２とは、接着剤（図示省略）によって接着されている。接着剤の種類及び塗布範囲は前記と同様である。 
【００２５】
上側補強パネル部材１２の上面に表層シート１４が被さっている。表層シート１４は、比較的軟質の樹脂やシリコンラバー等によって構成されている。表層シート１４は、防水性を有している。更に、表層シート１４によって、洗い場床パネル３の温熱感性及びクッション性が確保されている。
表層シート１４と上側補強パネル部材１２とは、両面粘着テープ（図示省略）によって接合されている。若しくは、表層シート１４と上側補強パネル部材１２とが、接着剤によって接着されていてもよい。
【００２６】
図２に示すように、洗い場床パネル３における浴槽１ａに近い部分には、排水口１６ｃを有する排水口部材１６が設けられている。図３及び図４に示すように、洗い場床パネル３の上面は、浴槽側を除く三方から排水口１６ｃへ向かって下がり勾配が付けられている。
【００２７】
図２及び図３に示すように、パネル本体１１の上面における浴槽側（図２において左側）を除く三方の外端部には、それぞれ凹溝状の受け部材設置部１１ｅが形成されている。受け部材設置部１１ｅは、凹溝状をなし、該外端部に沿って延びている。
受け部材設置部１１ｅは、上側補強パネル部材１２によって覆われていない。上側補強パネル部材１２は、パネル本体１１の前記三方の外端部を除く部分に被さっている。
【００２８】
図２において二点鎖線にて示すように、パネル本体１１の前記三方の外端部上に浴室壁６０又は浴室扉７０が配置されている。
図５に示すように、浴室壁６０は、壁パネル６１と、支柱部材６２を含む。支柱部材６２における浴室１を向く面に壁パネル６１が被さっている。連結固定部材６５が、下側補強パネル部材１３の側板部１３ｂから支柱部材６２に跨っている。連結固定部材６５を介して、支柱部材６２ひいては壁パネル６１が側板部１３ｂに固定されている。
図９に示すように、浴室扉７０は、扉枠７１を有している。
【００２９】
図１及び図３に示すように、パネル本体１１の各受け部材設置部１１ｅには、受け部材２０が設けられている。受け部材２０に壁パネル６１（図５）又は扉枠７１（図９）が載せられている。
壁パネル６１用の受け部材２０と扉枠７１用の受け部材２０は、互いに同一の形状、同一構造になっている。または、１つの受け部材２０の一部分に壁パネル６１が載せられ、前記１つの受け部材２０の他の部分に扉枠７１が載せられている。
以下、特に断らない限り、受け部材２０には壁パネル６１が載っているものとする。
【００３０】
図５に示すように、パネル本体１１の受け部材設置部１１ｅには、１又は複数の接着凹部１１ｂ，１１ｃが設けられている。接着凹部１１ｂ，１１ｃに接着剤４が充填されている。接着剤４は、例えばホットメルト接着剤によって構成されている。接着剤４によって、受け部材２０がパネル本体１１に接着されて固定されている。
【００３１】
図６（ａ）に示すように、受け部材２０は、樹脂を押出成形してなる押出成形体である。しかも、受け部材２０は、硬質樹脂と軟質樹脂を２色押出成形してなる２色成形体である。
【００３２】
詳しくは、受け部材２０は、受け部材本体２１と、シール突片３１を含む。受け部材本体２１が、前記硬質樹脂によって構成され、壁パネル６１を支持可能な所要の強度を有している。硬質樹脂としては、例えばアクリロニトリル／ブタジエン／スチレン（ＡＢＳ）、耐衝撃性ポリスチレン（ＨＩＰＳ）が挙げられるが、これに限られず、ポリプロピレン（ＰＰ）、ポリエチレン（ＰＥ）、その他の熱可塑性樹脂であってもよい。受け部材本体２１にシール突片３１が一体に設けられている。シール突片３１が、前記軟質樹脂によって構成されている。軟質樹脂は、前記硬質樹脂よりも軟質で、好ましくは十分に弾性変形可能であり、かつ水密性を有している。前記軟質樹脂としては、例えばスチレン系エラストマーが挙げられるが、これに限られず、ポリオレフィン系エラストマーなどであってもよい。
【００３３】
図６（ａ）に示すように、受け部材本体２１は、受入部２２（受入溝の形成部分）と、張出片部２３を有し、一定の断面をなして、同図の紙面直交方向に直線状に延びている。受入部２２に受入溝２２ａが形成されている。受入溝２２ａは、上方へ開口されている。
図５に示すように、受入溝２２ａに壁パネル６１の被受入部６１ｂが受け入れられている。受入溝２２ａの溝幅（図５において左右方向の寸法）は、壁パネル６１の被受入部６１ｂの同方向の寸法より大きい。
【００３４】
受入溝２２ａの溝底面２２ｆには、該溝底面２２ｆより小幅の溝底凹部２２ｄが形成されている。溝底凹部２２ｄには、シリコーンなどの溝底シール材３２が充填されている。溝底シール材３２は、受入溝２２ａに臨んでいる。
該溝底シール材３２が、壁パネル６１の被受入部６１ｂの下面と密着されることで、壁パネル６１の底部と受け部材２０との間が液密にシールされている。
【００３５】
受入部２２から差込突条２７が下方へ突出されている。差込突条２７が、パネル本体１１の差込溝１１ｆに挿し込まれている。
【００３６】
受入部２２よりも洗い場１ｂ側（図５において左側）へ張出片部２３が張り出している。張出片部２３の上面は、上側補強パネル部材１２とほぼ面一になっている。
張出片部２３の上面には張出凹部２３ｂが形成されている。張出凹部２３ｂには、シリコーンなどの張出片シール材３３が充填されている。
表層シート１４が張出片部２３に被さっている。張出片シール材３３が、表層シート１４の下面が密着されることで、表層シート１４と受け部材２０との間が液密にシールされている。
【００３７】
図６（ａ）に示すように、受け部材本体２１における、受入溝２２ａの洗い場側（同図において左側）の溝縁部２２ｃ（洗い場側の部分）には、前記シール突片３１（シール材）が一体に設けられている。シール突片３１は、受入溝２２ａに臨んでいる。
【００３８】
図６（ａ）に示すように、シール突片３１は、溝縁部２２ｃから突出するヒレ状になっている。前述したように、シール突片３１は弾性に富んでいる。シール突片３１は、第１シール突片部３１ａと、第２シール突片部３１ｂとを含む。自然状態における第１シール突片部３１ａは、溝縁部２２ｃから受入溝２２ａの上方へ延び出ている。第２シール突片部３１ｂは、第１シール突片部３１ａの根元部（受け部材本体２１との連結部近くの部分）から上方へ分岐されている。
【００３９】
図５に示すように、壁パネル６１の被受入部６１ｂが受入溝２２ａに嵌め込まれた状態において、シール突片３１が、弾性変形されて壁パネル６１に押し当てられている。第１シール突片部３１ａは、壁パネル６１と洗い場側内壁２２ｂとの間に挟まれ、圧縮されている。第２シール突片部３１ｂは、壁パネル６１の洗い場側面に宛がわれている。
壁パネル６１の被受入部６１ｂは、受入溝２２ａの洗い場側とは反対側の内壁２２ｅに突き当てられている。したがって、被受入部６１ｂは、受入溝２２ａの洗い場側内壁２２ｂのシール材３１ａと反対側の内壁２２ｅとによって挟み付けられている。これによって、壁パネル６１が、受入溝２２ａの溝幅方向に規制されている。 
【００４０】
図５に示すように、表層シート１４の端部と壁パネル６１との間には、目地部材４０が設けられている。
図８（ａ）に示すように、目地部材４０は、目地本体４１と、係合部４５を含む。  目地本体４１は、表側片部４２と、取付片部４３を一体に含み、概略逆Ｌ字の断面をなして、同図の紙面直交方向へ延びている。目地本体４１は、軟質の樹脂によって構成されている。取付片部４３は、表側片部４２の外側端部（壁パネル６１を向く端部、図８（ａ）において右端部）から下方へ延びている。
【００４１】
図８（ａ）に示すように、取付片部４３における表層シート１４側（同図において左側）の面には、係合部４５が設けられている。係合部４５は、硬質樹脂からなる係合本体部４５ｘと、軟質樹脂からなる中間突片４５ｂを含む。係合本体部４５ｘの下端部に係合爪４５ａが形成されている。係合本体部４５ｘの中間部の内側面（洗い場１ｂの内側を向く面、図８（ａ）において左側面）からヒレ状の中間突片４５ｂが斜め上方へ突出されている。
中間突片４５ｂは、目地本体４１と同じ材質であってもよい。
目地本体４１と係合本体部４５ｘと中間突片４５ｂとが二色成形されることで、目地部材４１が形成されていてもよい。
【００４２】
一方、受け部材２０における受入部２２と張出片部２３との中間の部分には、凸壁部２５が上方へ突出するように設けられている。凸壁部２５は、表層シート１４の端面と対向している。凸壁部２５における受入部２２を向く側（図８（ａ）において右側）の底部に、爪状の係合受け部２５ａが形成されている。
【００４３】
図８（ｂ）に示すように、表側片部４２が、壁パネル６１から表層シート１４の上面に跨っている。表側片部４２によって、表層シート１４の端部と壁パネル６１との間の隙間が覆われている。
目地部材４０の取付片部４３及び係合部４５が、凸壁部２５と壁パネル６１との間に挿し入れられ、係合爪４５ａが係合受け部２５ａと係合されている。取付片部４３が壁パネル６１に宛がわれている。取付片部４３の下端部は、第２シール突片部３１ｂに当たり、第２シール突片部３１ｂを圧縮変形させている。
中間突片４５ｂは、凸壁部２５と係合本体部４５ｘとの間に挟み付けられて弾性変形されている。この弾性によって、目地部材４０が壁パネル６１に押し付けられている。これによって、目地部材４０が、受け部材２０に対して正確な位置に固定されている。
【００４４】
図９に示すように、浴室扉７０用の受け部材２０の受入溝２２ａには、扉枠７１の下部の被受入部７１ｂが受け入れられている。
【００４５】
洗い場床パネル３は、次のようにして作製され、更には浴室１に設置される。
洗い場床パネル３の構成部材をそれぞれ作製する。パネル本体１１は、発泡成形によって作製できる。上下のパネル部材１２，１３は、板金加工等によって作製できる。
パネル本体１１の上下に補強パネル部材１２，１３を重ねた積層体を、例えば真空圧空熱プレス機（図示省略）にセットする。パネル本体１１と各補強パネル部材１２，１３の間には、例えば熱硬化性ウレタン系接着剤を塗布しておく。前記真空圧空熱プレス機によって前記積層体を加熱するとともに、空気圧及び真空圧によって前記積層体を厚み方向に圧縮する。これによって、パネル本体１１と補強パネル部材１２，１３とが接合される。
【００４６】
別途、受け部材２０を２色押出成形によって作製する。
前記補強パネル部材１２，１３と接合後のパネル本体１１における、受け部材設置部１１ｅの接着凹部１１ｂ，１１ｃにそれぞれ接着剤４を充填する。 
続いて、受け部材２０を受け部材設置部１１ｅに設置する。受け部材２０は、接着剤４を介してパネル本体１１に固定される。
【００４７】
また、パネル本体１１に排水口部材１６を装着する。
その後、上側補強パネル部材１２の上面に表層シート１４を貼り付ける。このとき、張出凹部２３ｂには、シリコーンなどの張出片シール材３３を充填しておく。そのうえで、表層シート１４の端部を張出片部２３に被せる。これによって、張出片シール材３３が表層シート１４と密着され、張出片部２３ひいては受け部材２０と表層シート１４との間のシール性を確保できる。
【００４８】
洗い場床パネル３によれば、発泡樹脂製のパネル本体１１を上下の補強パネル部材１２，１３で挟んでサンドイッチ構造とすることによって、安価に製造できるだけでなく、パネル本体１１を補強パネル部材１２，１３によって補強して、洗い場床パネル３の強度を確保できる。更には、上下の補強パネル部材１２，１３によって発泡樹脂製パネル本体１１を拘束することで、温度変化によるパネル本体１１の膨張、収縮を抑制できる。
【００４９】
浴室１の施工現場では、洗い場１ｂの底部に洗い場床パネル３を設置する。洗い場床パネル３の三方の外端部には、浴室壁６０及び浴室扉７０を接続する。
浴室壁６０の壁パネル６１を設置する際は、それに先立って、受入溝２２ａの底部にシリコーンなどの溝底シール材３２を設けておく（図６（ｂ））。溝底シール材３２は、溝底凹部２２ｄに充填すればよい。したがって、現場の作業者ごとに溝底シール材３２の塗布量がばらつくのを防止でき、施工品質を安定させることができる。
【００５０】
次いで、図７〜図８に示すように、壁パネル６１の下端の被受入部６１ｂを受入溝２２ａに嵌め込む。具体的には、たとえば、図７（ａ）に示すように、壁パネル６１を斜めにして、被受入部６１ｂを受入溝２２ａに挿し入れる。このとき、被受入部６１ｂにシール突片３１が引っ掛かることよって、第１シール突片部３１ａが下方へ押し下げられるように変形される。
図７（ｂ）に示すように、被受入部６１ｂを受入溝２２ａに挿し入れながら、壁パネル６１を漸次起立させる。これに伴って、シール突片３１が溝縁部２２ｃのまわりに回転するように変形される。
【００５１】
図８（ａ）に示すように、壁パネル６１を直立させると、第１シール突片部３１ａが、受入溝２２ａの洗い場内壁２２ｂと壁パネル６１との間に挟み込まれて圧縮される。第２シール突片部３１ｂは、壁パネル６１の側面に押し当てられる。これによって、壁パネル６１と受け部材２０との間をシールできる。浴室１の施工現場で洗い場内壁２２ｂにシール材を設置する必要が無いから、施工を簡易化できるだけでなく、作業者によって施工品質にばらつきができるのを防止できる。
さらに、壁パネル６１の被受入部６１ｂが、溝底面２２ｆに着地されるとともに溝底シール材３２と密着される。これによって、壁パネル６１と受け部材２０との間を一層確実にシールできる。
【００５２】
次に、図８（ａ）の白抜き矢印にて示すように、目地部材４０の取付片部４３を表層シート１４の端部と壁パネル６１との間に挿し入れる。
そして、図８（ｂ）に示すように、係合部４５を係合受け部２５ａと係合させることで、目地部材４０を受け部材２０に対して固定させる。係合部４５と係合受け部２５ａとの係合によって、目地部材４０を受け部材２０に対して正確に位置決めできるから、作業者によって施工品質にばらつきができるのを防止できる。
目地部材４０の設置によって、表層シート１４の端部と壁パネル６１との間の隙間が表側片部４２により覆い隠される。したがって、洗い場床パネル３と浴室壁６０との間の隅角部における見映えを良くすることができる。
更に、目地部材４０の取付片部４３の下端部が第２シール突片部３１ｂに押し当てられることによって、目地部材４０とシール突片３１との間、ひいては目地部材４０と受け部材２０との間のシールを強固にできる。
【００５３】
図９に示すように、同様にして、扉枠７１の被受入部７１ｂを、対応する受け部材２０に装着する。シール突片３１及び溝底シール材３２によって、扉枠７１と受け部材２０との間をシールできる。目地部材４０によって表層シート１４の端部と扉枠７１との間の隙間を覆い隠すことができる。
【００５４】
浴室壁６０の支柱部材６２は、連結固定部材６５を介して下側補強パネル部材１３の側板部１３ｂと連結する。これによって、浴室壁６０と洗い場床パネル３とをしっかりと固定できる。かつ浴室壁の荷重を、連結固定部材６５を介して下側補強パネル部材１３に伝達させることができる。
支柱部材６２の立設、及び連結固定部材６５による支柱部材６２と下側補強パネル部材１３との連結作業は、前記壁パネル６１を設置する前に行ってもよい。
【００５５】
次に、本発明の他の実施形態を説明する。以下の実施形態において、既述の形態と重複する構成に関しては、図面に同一符号を付して説明を省略する。
＜第２実施形態＞
図１０及び図１１は、本発明の第２実施形態を示したものである。
図１０に示すように、第２実施形態の受け部材２０Ｂは、硬質樹脂だけの押出成形品であり、軟質樹脂のシール突片３１を有していない。
第２実施形態においては、浴室１の現場施工の際に、受入溝２２ａの洗い場側内壁２２ｂにゴムパッキン等のシール材５１を貼り付ける。シール材５１は、受入溝２２ａに臨む。
壁パネル６１の被受入部６１ｂを受入溝２２ａに嵌め込むと、シール材５１が、壁パネル６１の側面に密着されることで、受け部材２０Ｂと壁パネル６１との間をシールできる。
また、表層シート１４の端部と被受入部６１ｂとの間には、樹脂成形体からなる目地部材４０に代えて、シリコーンからなる目地材５２を充填する。これによって、表層シート１４と壁パネル６１との間の隙間を目地材５２によって隠すことができる。かつ、目地材５２が壁パネル６１の側面に密着されることで、シール性を一層高めることができる。
【００５６】
図１１に示すように、同様に、扉枠７１の被受入部７１ｂを受入溝２２ａに嵌め込むと、シール材５１が扉枠７１に密着され、受け部材２０Ｂと扉枠７１との間をシールできる。
更に、表層シート１４の端部と扉枠７１との間に目地材５２を充填することによって、表層シート１４と扉枠７１との間の隙間を隠すことができるだけでなく、目地材５２が扉枠７１に密着されることで、シール性を一層高めることができる。
【００５７】
＜第３実施形態＞
図１２〜図１４は、本発明の第３実施形態を示したものである。
図１２に示すように、第３実施形態においては、受け部材２０Ｃの張出片部２３の上面が平らになっており、張出凹部２３ｂ（図６（ｂ））が形成されていない。張出片部２３と表層シート１４とが、シール材３３（図６（ｂ））に代えて、防水性両面粘着テープ３５によって接合されている。防水性両面粘着テープ３５は、例えばアクリルフォーム構造用接合テープなどのアクリル系粘着テープが用いられている。
【００５８】
また、受け部材２０Ｃにおける凸壁部２５と表層シート１４の端面との間には、シリコーンコーキング等からなる目地材５３が充填されている。
表層シート１４の端部と受け部材２０Ｃとの間が、両面粘着テープ３５と目地材５３とによって二重に防水されている。
目地材５３は、目地部材４０の未装着時には外部に露出されている。したがって、目地材５３の施工状態、ひいては受け部材２０Ｃと表層シート１４との間のシール状態を容易に点検できる。
【００５９】
図１３に示すように、目地部材４０の装着によって、目地材５３が目地部材４０の表側片部４２によって覆い隠される。
なお、図１２に示すように、自然状態（非装着時）における表側片部４２は、先端が下へ少し垂れている。図１３に示すように、目地部材４０を表層シート１４と壁パネル６１との間に装着すると、表側片部４２が表層シート１４によって押し上げられ、垂れ下がりが矯正される。これによって、表側片部４２を表層シート１４の上面に押し当てて密着させることができる。
【００６０】
張出片部２３の下面には、凸部２３ｄが形成されている。該凸部２３ｄが、接着凹部１１ｂに入り込んで接着剤４ｂ内に埋まっている。
【００６１】
受け部材２０Ｃにおける受入部２２の下面には、凸部２２ｇが形成されている。該凸部２２ｇが、接着凹部１１ｃに入り込んで接着剤４ｃ内に埋まっている。
【００６２】
図１２に示すように、受入部２２の溝底凹部２２ｄは、溝底面２２ｆにおける、洗い場１ｂ側（図１２において左側）の部分に偏って配置されている。
図１３に示すように、受入部２２における、壁パネル６１を受け入れる部分の溝底凹部２２ｄには、溝底シール材３２（図６（ｂ））の充填が省略されている。したがって、受け部材２０Ｃが壁パネル６１とは接着されていない。
このため、例えば、リフォームなどの際、壁パネル６１を受け部材２０Ｃひいては洗い場床パネル３から簡単に分離できる。或いは、受け部材２０Ｃが壁パネル６１とくっ付いてパネル本体１１から抜けるのを防止できる。
【００６３】
図１４に示すように、受入部２２における、浴室扉７０の下枠７１を受け入れる部分の溝底凹部２２ｄには、シリコーン等の接着剤からなる溝底シール材３２が充填されている。これによって、下枠７１の被受入部７１ｂが、溝底シール材３２を介して受け部材２０Ｃと接着されている。これによって、下枠７１が踏まれて変形しても、下枠７１と受け部材２０Ｃとの強固な接合状態を維持できる。
【００６４】
本発明は、前記実施形態に限定されるものではなく、その趣旨に反しない限りにおいて種々の改変をなすことができる。
例えば、第１実施形態において、目地部材４０に代えて、目地材５２を表層シート１４の端部と被受入部６１ｂ，７１ｂとの間に充填してもよい。
洗い場床パネル３は、浴槽１ａの下側に設けられる浴槽パンを含んでいてもよい。浴槽パンは、洗い場床パネル３に対して別体であっても一体であってもよい。
浴室はシャワー室も含む。
【産業上の利用可能性】
【００６５】
本発明は、例えば浴室の洗い場床に適用可能である。
【符号の説明】
【００６６】
１        浴室
１ｂ      洗い場
３        洗い場床パネル
１１      パネル本体
１１ｅ    受け部材設置部（外端部） 
１２      上側補強パネル部材
１３      下側補強パネル部材
１３ｂ    側板部
１４      表層シート
２０      受け部材
２０Ｂ    受け部材
２１      受け部材本体
２２      受入部（受入溝の形成部分）
２２ａ    受入溝
２２ｂ    洗い場側内壁
２２ｃ    溝縁部（受入溝の洗い場側部分）
２２ｅ    反対側の内壁
２２ｄ    溝底凹部
２２ｆ    溝底面
２３      張出片部
２３ｂ    張出凹部
２５      凸壁部
２５ａ    係合受け部
３１      シール突片（シール材）
３１ａ    第１シール突片部
３１ｂ    第２シール突片部
３２      溝底シール材
３３      張出片シール材
３５      両面粘着テープ
４０      目地部材
４１      目地本体
４２      表側片部
４３      取付片部
４５      係合部
５１      シール材
５２      目地材
５３      シール材
６０      浴室壁
６１      壁パネル
６１ｂ    被受入部
６２      支柱部材
６５      連結固定部材
７０      浴室扉
７１      扉枠
７１ｂ    被受入部 
【図１】
2019052519.tif 000003
【図２】
2019052519.tif 000004
【図３】
2019052519.tif 000005
【図４】
2019052519.tif 000006
【図５】
2019052519.tif 000007
【図６（ａ）】
2019052519.tif 000008
【図６（ｂ）】
2019052519.tif 000009
【図７（ａ）】
2019052519.tif 000010
【図７（ｂ）】
2019052519.tif 000011
【図８（ａ）】
2019052519.tif 000012
【図８（ｂ）】
2019052519.tif 000013
【図９】
2019052519.tif 000014
【図１０】
2019052519.tif 000015
【図１１】
2019052519.tif 000016
【図１２】
2019052519.tif 000017
【図１３】
2019052519.tif 000018
【図１４】
2019052519.tif 000019